(57)【要約】【課題】光学顕微鏡と走査型プローブ顕微鏡のそれぞれの観察データを現象の取りこぼしなく同時性を維持して保存し得る複合型顕微鏡を提供する。【解決手段】複合型顕微鏡１０は、試料Ｓの動的な光顕観察データを取得する光学顕微鏡１１と、試料Ｓの動的なＳＰＭ観察データを取得する走査型プローブ顕微鏡１２と、光学顕微鏡１１と走査型プローブ顕微鏡１２に共通の制御指令を同時に与える制御装置１３を備えている。【選択図】図１
2013228249.tif 000002
【特許請求の範囲】
【請求項１】
観察対象の時系列的に連続する一連の光学的な観察画像からなる動的な観察データを取得する光学顕微鏡と、
前記観察対象の時系列的に連続する一連のプローブ由来の観察画像からなる動的な観察データを取得する走査型プローブ顕微鏡と、
前記光学顕微鏡と前記走査型プローブ顕微鏡に共通の制御指令を同時に与える制御装置を備えている複合型顕微鏡。
【請求項２】
前記共通の制御指令は、前記光学顕微鏡と前記走査型プローブ顕微鏡にそれぞれの観察データの保存を開始させる保存開始指令であり、前記制御装置は、前記保存開始指令を前記光学顕微鏡と前記走査型プローブ顕微鏡に同時に与える保存開始スイッチを備えている、請求項１に記載の複合型顕微鏡。
【請求項３】
前記共通の制御指令は、前記光学顕微鏡と前記走査型プローブ顕微鏡にそれぞれの観察データの保存を終了させる保存終了指令であり、前記制御装置は、前記保存終了指令を前記光学顕微鏡と前記走査型プローブ顕微鏡に同時に与える保存終了スイッチを備えている、請求項１または２に記載の複合型顕微鏡。
【請求項４】
前記共通の制御指令は、前記光学顕微鏡と前記走査型プローブ顕微鏡にそれぞれの観察データに対してイベント情報を付与させるイベント情報付与指令であり、前記制御装置は、前記イベント情報付与指令を前記光学顕微鏡と前記走査型プローブ顕微鏡に同時に与えるイベント情報付与スイッチを備えている、請求項１〜３のいずれかひとつに記載の複合型顕微鏡。
【請求項５】
前記光学顕微鏡と前記走査型プローブ顕微鏡は、それぞれの観察データに関連づけて測定パラメータを付記するように構成されている、請求項１〜４のいずれかひとつに記載の複合型顕微鏡。
【請求項６】
前記光学顕微鏡と前記走査型プローブ顕微鏡は、それぞれが表示しているそれぞれの観察データを併せて一つの複合観察データとして保存するように構成されている、請求項１〜５のいずれかひとつに記載の複合型顕微鏡。
【請求項７】
前記制御装置は、前記光学顕微鏡と前記走査型プローブ顕微鏡に、前記複合観察データに対するイベント情報付与の指令を与えるイベント情報付与スイッチを備えている、請求項６に記載の複合型顕微鏡。
【請求項８】
前記光学顕微鏡と前記走査型プローブ顕微鏡は、前記複合観察データに関連づけて測定パラメータを付記するように構成されている、請求項６または７に記載の複合型顕微鏡。
【請求項９】
前記走査型プローブ顕微鏡と前記光学顕微鏡は、それぞれの観察データを並べて表示する兼用モニターを備えている、請求項６〜８のいずれかひとつに記載の複合型顕微鏡。
【請求項１０】
前記制御装置はグラフィックインターフェースで構成されたスイッチを有し、前記グラフィックインターフェースの一部が前記兼用モニターに表示される、請求項９に記載の複合型顕微鏡。
【請求項１１】
前記観察対象に対して作用を与える作用機構をさらに備えており、
前記制御装置は、前記作用機構を作動させるスイッチを有している、請求項１〜１０のいずれかひとつに記載の複合型顕微鏡。
【請求項１２】
前記光学顕微鏡と前記走査型プローブ顕微鏡は、保存開始時のそれぞれの観察画像の再生タイミングを一致させてそれぞれの観察データを再生する、請求項２に記載の複合型顕微鏡。
【請求項１３】
前記光学顕微鏡と前記走査型プローブ顕微鏡は、保存終了時のそれぞれの観察画像の再生タイミングを一致させてそれぞれの観察データを再生する、請求項３に記載の複合型顕微鏡。
【請求項１４】
前記光学顕微鏡と前記走査型プローブ顕微鏡は、イベント情報付与時のそれぞれの観察画像の再生タイミングを一致させてそれぞれの観察データを再生する、請求項４に記載の複合型顕微鏡。
【請求項１５】
観察対象の時系列的に連続する一連の光学的な観察画像からなる動的な観察データを取得する光学顕微鏡と、前記観察対象の時系列的に連続する一連のプローブ由来の観察画像からなる動的な観察データを取得する走査型プローブ顕微鏡に共通の制御指令を同時に与えるように構成されている、前記光学顕微鏡と前記走査型プローブ顕微鏡を組み合わせた複合型顕微鏡の制御装置。
【請求項１６】
前記共通の制御指令は、前記光学顕微鏡と前記走査型プローブ顕微鏡にそれぞれの観察データの保存を開始させる保存開始指令であり、前記制御装置は、前記保存開始指令を前記光学顕微鏡と前記走査型プローブ顕微鏡に同時に与える保存開始スイッチを備えている、請求項１５に記載の制御装置。
【請求項１７】
前記共通の制御指令は、前記光学顕微鏡と前記走査型プローブ顕微鏡にそれぞれの観察データの保存を終了させる保存終了指令であり、前記制御装置は、前記保存終了指令を前記光学顕微鏡と前記走査型プローブ顕微鏡に同時に与える保存終了スイッチを備えている、請求項１５または１６に記載の制御装置。
【請求項１８】
前記共通の制御指令は、前記光学顕微鏡と前記走査型プローブ顕微鏡にそれぞれの観察データに対してイベント情報を付与させるイベント情報付与指令であり、前記制御装置は、前記イベント情報付与指令を前記光学顕微鏡と前記走査型プローブ顕微鏡に同時に与えるイベント情報付与スイッチを備えている、請求項１５〜１７のいずれかひとつに記載の制御装置。
【請求項１９】
観察対象の時系列的に連続する一連の光学的な観察画像からなる動的な観察データを取得する光学顕微鏡と、前記観察対象の時系列的に連続する一連のプローブ由来の観察画像からなる動的な観察データを取得する走査型プローブ顕微鏡に共通の制御指令を同時に与える、前記光学顕微鏡と前記走査型プローブ顕微鏡を組み合わせた複合型顕微鏡の制御方法。
【請求項２０】
前記共通の制御指令は、前記光学顕微鏡と前記走査型プローブ顕微鏡にそれぞれの観察データの保存を開始させる保存開始指令である、請求項１９に記載の制御方法。
【請求項２１】
前記共通の制御指令は、前記光学顕微鏡と前記走査型プローブ顕微鏡にそれぞれの観察データの保存を終了させる保存終了指令である、請求項１９または２０に記載の制御方法。
【請求項２２】
前記共通の制御指令は、前記光学顕微鏡と前記走査型プローブ顕微鏡にそれぞれの観察データに対してイベント情報を付与させるイベント情報付与指令である、請求項１９〜２１のいずれかひとつに記載の制御方法。
【請求項２３】
観察対象の時系列的に連続する一連の光学的な観察画像からなる動的な観察データを取得する光学顕微鏡と、前記観察対象の時系列的に連続する一連のプローブ由来の観察画像からなる動的な観察データを取得する走査型プローブ顕微鏡に共通の制御指令を同時に与える指令機能をコンピュータに実現させる、前記光学顕微鏡と前記走査型プローブ顕微鏡を組み合わせた複合型顕微鏡の制御プログラム。
【請求項２４】
請求項２３に記載の制御プログラムが記憶された記憶媒体。
【発明の詳細な説明】
【技術分野】
【０００１】
本発明は、光学顕微鏡と走査型プローブ顕微鏡を組み合わせた複合型顕微鏡に関する。
【背景技術】
【０００２】
光学顕微鏡は、観察対象を拡大して画像化するためや観察対象の光学特性を把握するために用いられている。
【０００３】
捕らえようとする光学特性に応じて、蛍光観察、微分干渉観察、位相差観察、全反射蛍光観察、共焦点観察等、さまざまな観察方法がある。
【０００４】
一方、走査型プローブ顕微鏡は、先端が尖ったプローブ（探針）を試料表面に近接させ、探針と試料表面との相互作用に由来する情報を用いて、試料表面の３次元的な凹凸や、試料物性を検出し、画像化することで、試料物性を把握するために用いられている。
【０００５】
ナノ技術分野、特に生体関連分野の研究開発においては、時間経過とともに起こる物質の変化を高分解能顕微鏡で把握することが求められている。
【０００６】
このために光学顕微鏡と走査型プローブ顕微鏡を組み合わせた装置がさまざまな形で提案されている。
【０００７】
しかしながら、これまでは、光学顕微鏡は、走査型プローブ顕微鏡の測定位置を見つけ、走査型プローブ顕微鏡の探針位置を測定したい試料位置に合わせるものとしてしか機能していなかった。
【０００８】
一方、特開２００７−３２２３９６号公報において、光学顕微鏡とは別の透過型電子顕微鏡と、走査型プローブ顕微鏡の一種である走査型近接場光学顕微鏡（ＳＮＯＭ）とを組み合わせた複合型顕微鏡が提案されている。
【０００９】
この複合型顕微鏡では、制御・画像表示用コンピュータに同期信号発生装置が接続されており、同期信号発生装置は、走査する手段と同期して、近接場光学顕微鏡のデータとして、光の強度または分光データ、近接場光または通常伝搬光の取り込み信号を対応させるように制御している。
【００１０】
これにより、コンピュータにＶＴＲに録画される透過電子顕微鏡に同期信号発生装置に基づく時間を記録し、ＳＮＯＭで得られるデータ各点に同期信号発生装置に基づく時間を割り当てることにより、各データ点における透過電子顕微鏡像を照合できるようにしている。
【００１１】
透過電子顕微鏡の画像は蛍光板の輝点をカメラで撮影してＶＴＲに残しているため、ＳＮＯＭのデータの収集にかかる時間よりも短い時間で録画される。このため、ＳＮＯＭにより収集されるすべてのデータ点において透過電子顕微鏡の画像を割り振ることが可能である。
【００１２】
走査型プローブ顕微鏡は、一般的に測定範囲を探針と試料との相互作用に基づいて、探針の高さを制御しながら、試料上を走査し試料と探針の相互作用に基づく情報を１枚の画像として取得しているため、１枚の画像を取得するのに数十秒から数十分の時間を要する。一方、他の顕微鏡、例えば透過型電子顕微鏡や、光学顕微鏡などの、画像取得に要する時間は一般的に１枚あたり数１０ｍ秒である。これらのデータを同時に残して置く際には、走査型プローブ顕微鏡の画像に対して必ず、１枚の光学顕微鏡の画像が対応するため、単に同期を取って時間を比較することで対照ができる。
【００１３】
ところが近年の走査型プローブ顕微鏡の発達により、例えば原子間力顕微鏡などでは、１枚に２５ｍ秒から１０００ｍ秒の取得時間が可能になってきている。
【００１４】
また、光学顕微鏡の例として生物研究等で多用されている蛍光顕微鏡画像で試料の変化を観察するためには蛍光画像の取り込みの時間すなわち露光時間を観察したい現象にあわせて設定する必要がある。例えば１枚の露光時間が１秒以上になる場合もある。データ転送等の時間も含めれば、１枚の画像の取得時間は１秒以上になる場合もある。
【００１５】
また走査型プローブ顕微鏡で試料の変化を観察するためには、試料の変化に対して十分早い速度と、測定対象の基板への吸着に対して制御が追従するための時間に基づいて走査速度が決まる。例えば、生体試料などの変化を追跡するための走査時間は約２５ｍ秒から１０００ｍ秒になる。走査の戻り時間やデータ転送の時間を考えると、取得時間は走査時間以上になる。例えば、生体試料などの変化を追跡するための取得時間は２５ｍ秒から１０００ｍ秒以上になる。
【００１６】
光学顕微鏡と走査型プローブ顕微鏡を組み合わせて同一の観察対象をそれぞれの最適な取得時間を用いて観察することが、それぞれの観察データの状態を最良な状態にできる。
【先行技術文献】
【特許文献】
【００１７】
【特許文献１】特開２００７−３２２３９６号公報
【発明の概要】
【発明が解決しようとする課題】
【００１８】
ところが、従来の複合型顕微鏡では、走査型プローブ顕微鏡（前述の従来例では走査型近接場顕微鏡）の各観察画像に同期させて、これに組み合わせた顕微鏡（前述の従来例では透過型電子顕微鏡）の各観察画像を取得している。このため、組み合わせた二つの顕微鏡の観察画像の取得時間が異なる場合、一方の顕微鏡（取得時間の短い方）は、他方の顕微鏡（取得時間の長い方）の画像取得が終了するまで、画像取得を休止せざるを得ない。
【００１９】
たとえば、走査型プローブ顕微鏡の１枚の観察画像の取得時間が１秒であり、光学顕微鏡の１枚の観察画像の取得時間が１．２秒であるとした場合、画像取得の都度、光学顕微鏡の観察画像の取得が終わるまで、走査型プローブ顕微鏡に０．２秒の待ち時間を与えなければならない。
【００２０】
このような待ち時間が存在すると、観察したい現象を記録し損ねることがある。
【００２１】
本発明は、このような実状を考慮して成されたものであり、その目的は、光学顕微鏡と走査型プローブ顕微鏡のそれぞれの観察データを現象の取りこぼしなく同時性を維持して保存し得る複合型顕微鏡を提供することである。
【課題を解決するための手段】
【００２２】
本発明による複合型顕微鏡は、観察対象の時系列的に連続する一連の光学的な観察画像からなる動的な観察データを取得する光学顕微鏡と、前記観察対象の時系列的に連続する一連のプローブ由来の観察画像からなる動的な観察データを取得する走査型プローブ顕微鏡と、前記光学顕微鏡と前記走査型プローブ顕微鏡に共通の制御指令を同時に与える制御装置を備えている。
【発明の効果】
【００２３】
本発明によれば、光学顕微鏡と走査型プローブ顕微鏡のそれぞれの観察データを現象の取りこぼしなく同時性を維持して保存し得る複合型顕微鏡が提供される。
【図面の簡単な説明】
【００２４】
【図１】第一実施形態による複合型顕微鏡を示している。
【図２】図１に示された制御装置を示している。
【図３】同時に保存開始された光顕観察データとＡＦＭ観察データを示している。
【図４】保存開始の情報が付与された光顕観察画像とＡＦＭ観察画像を示している。
【図５】同時に保存終了された光顕観察データとＡＦＭ観察データを示している。
【図６】保存終了の情報が付与された光顕観察画像とＡＦＭ観察画像を示している。
【図７】イベント情報が同時に書き込まれた光顕観察データとＡＦＭ観察データを示している。
【図８】イベント情報同時書き込みの情報が付与された光顕観察画像とＡＦＭ観察画像を示している。
【図９】第二実施形態による複合型顕微鏡を模式的に示している。
【図１０】図９に示されたＡＦＭ光顕兼用モニターに表示される光顕観察画像とＡＦＭ観察画像と入力スイッチを示している。
【図１１】第三実施形態による複合型顕微鏡を模式的に示している。
【図１２】溶液追加のイベント情報が同時に書き込まれた光顕観察データとＡＦＭ観察データと、溶液追加に適用された制御装置を示している。
【図１３】溶液追加のイベント情報が同時に書き込まれた光顕観察データとＡＦＭ観察データと塩濃度のグラフを示している。
【図１４】第四実施形態による複合型顕微鏡を模式的に示している。
【図１５】光刺激のイベント情報が同時に書き込まれた光顕観察データとＡＦＭ観察データと、光刺激に適用された制御装置を示している。
【図１６】光刺激のイベント情報が同時に書き込まれた光顕観察データとＡＦＭ観察データと光刺激のグラフを示している。
【図１７】保存開始のタイミングを一致させて再生される光顕観察データとＡＦＭ観察データを示している。
【図１８】保存終了のタイミングを一致させて再生される光顕観察データとＡＦＭ観察データを示している。
【図１９】イベント情報付与のタイミングを一致させて再生される光顕観察データとＡＦＭ観察データを示している。
【図２０】再生される光顕観察画像とＡＦＭ観察画像を示している。
【図２１】光顕観察画像とＡＦＭ観察画像を合成した合成観察画像を示している。
【発明を実施するための形態】
【００２５】
以下、図面を参照しながら実施形態について説明する。
【００２６】
［第一実施形態]
図１に示されるように、第一実施形態による複合型顕微鏡１０は、観察対象である試料Ｓの動的な光顕観察データを取得する光学顕微鏡１１と、試料Ｓの動的なＳＰＭ観察データを取得する走査型プローブ顕微鏡１２と、光学顕微鏡１１と走査型プローブ顕微鏡１２に共通の制御指令を同時に与える制御装置１３を備えている。
【００２７】
ここで、光学顕微鏡１１が取得する動的な光顕観察データは、試料Ｓの時系列的に連続する一連の光学的な観察画像（光顕観察画像）からなる。また、走査型プローブ顕微鏡１２が取得する動的なＳＰＭ観察データは、試料Ｓの時系列的に連続する一連のプローブ由来の観察画像（ＳＰＭ観察画像）からなる。言い換えれば、動的な光顕観察データは、無用な時間間隔を置くことなく時系列的に取得された一連の光顕観察画像を意味し、動的なＳＰＭ観察データは、無用な時間間隔を置くことなく時系列的に取得された一連のＳＰＭ観察画像を意味する。以下の説明では、動的な光顕観察データを単に光顕観察データと呼び、動的なＳＰＭ観察データを単にＳＰＭ観察データと呼ぶこともある。
【００２８】
〔光学顕微鏡〕
光学顕微鏡１１は、観察光学系２１と、カメラ２２と、カメラコントローラ２３と、光顕用コンピュータ２４と、光顕用モニター２７から構成されている。
【００２９】
観察光学系２１は、試料Ｓまたはその光学特性の分布の拡大光学像を形成するように構成されている。
【００３０】
カメラ２２は、観察光学系２１によって形成される光学像を電子化する機能を有している。
【００３１】
カメラコントローラ２３は、カメラ２２によって電子化された光学像に基づいて光顕観察画像を構築して、光顕用コンピュータ２４に順次供給するように構成されている。
【００３２】
光顕用モニター２７は、光顕観察データ等を表示するように構成されている。
【００３３】
光顕用コンピュータ２４は、光学顕微鏡１１の各部を制御し、また光顕観察データの表示および保存を制御するように構成されている。
【００３４】
光顕用コンピュータ２４は、カメラコントローラ２３から順次供給される光顕観察画像の１枚を一時的に保持する光顕用フレームメモリー２５と、カメラコントローラ２３から順次供給される時系列的に連続する一連の光顕観察画像すなわち動的な光顕観察データを保存する光顕用蓄積メモリー２６を備えている。
【００３５】
光顕用コンピュータ２４は、光顕用フレームメモリー２５に一時的に保持される光顕観察画像を光顕用モニター２７に順次送ることにより、試料Ｓの光顕観察画像を光顕用モニター２７に実時間表示させることができる。この実時間表示される光顕観察画像は、時系列的に連続する一連の光顕観察画像であり、これもまた、動的な光顕観察データである。光顕用コンピュータ２４はまた、光顕用蓄積メモリー２６に保存された光顕観察データを光顕用モニター２７に出力して、光顕観察データを光顕用モニター２７に表示させることができる。
【００３６】
また、光学顕微鏡１１は、動的な光顕観察データに関連づけて測定パラメータを保存するように構成されている。このため、光顕用コンピュータ２４は、光顕観察データの保存の際に、カメラコントローラ２３の制御に用いた測定パラメータを、光顕観察データに対応可能な状態で光顕用蓄積メモリー２６に保存することもできる。ここで、測定パラメータとは、光顕観察データの再生に必要な情報であり、たとえば、測定範囲や露光時間等の情報である。これにより、保存された光顕観察データの再生時の情報管理が容易となる。
【００３７】
〔走査型プローブ顕微鏡〕
走査型プローブ顕微鏡１２は、ここでは、その最も代表的な例である原子間力顕微鏡（ＡＦＭ）で構成されている。したがって、前述したＳＰＭ観察画像とＳＰＭ観察データは、ここでは、それぞれ、ＡＦＭ観察画像とＡＦＭ観察データとなる。
【００３８】
走査型プローブ顕微鏡１２は、ＡＦＭユニット３１と、ＡＦＭコントローラ３３と、ＡＦＭ用コンピュータ３４と、ＡＦＭ用モニター３７を有している。
【００３９】
ＡＦＭユニット３１は、たとえば、機械的プローブを先端に備えたカンチレバーと、カンチレバーの変位または振動状態を検出する変位センサーと、カンチレバーと試料Ｓの相対的位置を制御する走査機構などを備えている。
【００４０】
ＡＦＭコントローラ３３は、たとえば、ｘｙ走査信号を走査機構に供給してカンチレバーを試料Ｓの表面に沿って移動させながら、変位センサーの出力を一定に保つようなｚ制御信号を走査機構に供給するとともに、ｚ制御信号をｘｙ走査信号に同期させて処理することによりＡＦＭ観察画像を構築して、光顕用コンピュータ２４に順次供給するように構成されている。ｚ制御信号は、たとえば、試料Ｓの表面の高さ情報であり、その場合、試料Ｓの表面形状を表すが、ｚ制御信号は、これに限らず、位相や電位など、プローブと試料の相互作用に起因する他の情報であってもよい。
【００４１】
ＡＦＭ用モニター３７は、ＡＦＭ観察データ等を表示するように構成されている。
【００４２】
ＡＦＭ用コンピュータ３４は、走査型プローブ顕微鏡１２の各部を制御し、またＡＦＭ観察データの表示および保存を制御するように構成されている。
【００４３】
ＡＦＭ用コンピュータ３４は、ＡＦＭコントローラ３３から順次供給されるＡＦＭ観察画像の１枚を一時的に保持するＡＦＭ用フレームメモリー３５と、ＡＦＭコントローラ３３から順次供給される時系列的に連続する一連のＡＦＭ観察画像すなわち動的なＡＦＭ観察データを保存するＡＦＭ用蓄積メモリー３６を備えている。
【００４４】
ＡＦＭ用コンピュータ３４は、ＡＦＭ用フレームメモリー３５に一時的に保持されるＡＦＭ観察画像をＡＦＭ用モニター３７に順次送ることにより、試料ＳのＡＦＭ観察画像をＡＦＭ用モニター３７に実時間表示させることができる。この実時間表示されるＡＦＭ観察画像は、時系列的に連続する一連のＡＦＭ観察画像であり、これもまた、動的なＡＦＭ観察データである。ＡＦＭ用コンピュータ３４はまた、ＡＦＭ用蓄積メモリー３６に保存されたＡＦＭ観察データをＡＦＭ用モニター３７に出力して、ＡＦＭ用モニター３７にＡＦＭ観察データを表示させることができる。
【００４５】
また、走査型プローブ顕微鏡１２は、動的なＡＦＭ観察データに関連づけて測定パラメータを保存するように構成されている。このため、ＡＦＭ用コンピュータ３４は、ＡＦＭ観察データの保存の際に、ＡＦＭコントローラ３３の制御に用いた測定パラメータを、ＡＦＭ観察データに対応可能な状態でＡＦＭ用蓄積メモリー３６に保存することもできる。ここで、測定パラメータとは、ＡＦＭ観察データの再生に必要な情報であり、たとえば、走査範囲や走査時間等の情報である。これにより、保存されたＡＦＭ観察データの再生時の情報管理が容易となる。
【００４６】
〔制御装置〕
制御装置１３は、図２に示されるように、複数のスイッチ１３ａ，１３ｂ，１３ｃ，１３ｄ，１３ｅを有している。ここで、保存開始の名前が割り当てられたスイッチ１３ａは、光学顕微鏡１１と走査型プローブ顕微鏡１２にそれぞれの観察データの保存開始の指令を同時に与える保存開始スイッチである。また、保存終了の名前が割り当てられたスイッチ１３ｂは、光学顕微鏡１１と走査型プローブ顕微鏡１２にそれぞれの観察データの保存終了の指令を同時に与える保存終了スイッチである。さらに、イベント１，イベント２，イベント３の名前がそれぞれ割り当てられたスイッチ１３ｃ，１３ｄ，１３ｅはいずれも、光学顕微鏡１１と走査型プローブ顕微鏡１２に、それぞれの観察データに対するイベント情報付与の指令を同時に与えるイベント情報付与スイッチである。
【００４７】
これらのスイッチ１３ａ，１３ｂ，１３ｃ，１３ｄ，１３ｅは、トグル、ボタン、スライド、メンブレン、液晶タッチパネルボタン等、任意の機械式スイッチで構成されてよい。
【００４８】
〔保存開始〕
制御装置１３は、保存開始スイッチ１３ａの「入」操作に対して、観察データの保存開始の指令を光顕用コンピュータ２４とＡＦＭ用コンピュータ３４に与える。この指令を受けて、光顕用コンピュータ２４は、光顕用フレームメモリー２５に順次供給される光顕観察画像の光顕用蓄積メモリー２６への転送および保存を開始し、またＡＦＭ用コンピュータ３４は、ＡＦＭ用フレームメモリー３５に順次格納されるＡＦＭ観察画像のＡＦＭ用蓄積メモリー３６への転送および保存を開始する。
【００４９】
これにより、図３に示されるように、時系列的に連続する一連の光顕観察画像すなわち動的な光顕観察データが光顕用蓄積メモリー２６に保存され、時系列的に連続する一連のＳＰＭ画像すなわちＳＰＭ観察データがＡＦＭ用蓄積メモリー３６に保存される。図３において、斜線を付して示された光顕観察画像とＡＦＭ観察画像が、それぞれ、保存開始時の光顕観察画像とＡＦＭ観察画像を表している。
【００５０】
このとき、光顕用コンピュータ２４は、光顕観察データの最初の光顕観察画像に保存開始画像であることを示す情報を付与し、またＡＦＭ用コンピュータ３４は、ＡＦＭ観察データの最初のＡＦＭ観察画像に保存開始画像であることを示す情報を付与する。
【００５１】
この情報の付与は、図４に示されるように、それぞれに共通の目印たとえば「開始」といった文字を追加しておこなってもよいし、測定パラメータの情報に付記しておこなってもかまわない。
【００５２】
光顕観察データとＡＦＭ観察データのそれぞれの最初の観察画像に、この情報を付記することによって、光顕観察データとＡＦＭ観察データの間において保存開始のタイミングが維持される。
【００５３】
〔保存終了〕
光顕観察データとＡＦＭ観察データの保存中において、保存終了スイッチ１３ｂの「入」操作に対して、制御装置１３は、観察データの保存終了の指令を光顕用コンピュータ２４とＡＦＭ用コンピュータ３４に与える。この指令を受けて、光顕用コンピュータ２４は、光顕用フレームメモリー２５に順次供給される光顕観察画像の光顕用蓄積メモリー２６への転送および保存を終了し、またＡＦＭ用コンピュータ３４は、ＡＦＭ用フレームメモリー３５に順次格納されるＡＦＭ観察画像のＡＦＭ用蓄積メモリー３６への転送および保存を終了する。
【００５４】
これにより、図５に示されるように、時系列的に連続する一連の光顕観察画像すなわち動的な光顕観察データの光顕用蓄積メモリー２６への保存が終了され、時系列的に連続する一連のＳＰＭ画像すなわちＳＰＭ観察データのＡＦＭ用蓄積メモリー３６への保存が終了される。図５において、斜線を付して示された光顕観察画像とＡＦＭ観察画像が、それぞれ、保存終了時の光顕観察画像とＡＦＭ観察画像を表している。
【００５５】
このとき、光顕用コンピュータ２４は、光顕用蓄積メモリー２６に保存された光顕観察データの最後の光顕観察画像に保存終了画像であることを示す情報を付与し、またＡＦＭ用コンピュータ３４は、ＡＦＭ用蓄積メモリー３６に保存されたＡＦＭ観察データの最後のＡＦＭ観察画像に保存終了画像であることを示す情報を付与する。
【００５６】
この情報の付与は、図６に示されるように、それぞれに共通の目印たとえば「終了」といった文字を追加しておこなってもよいし、測定パラメータの情報に付記しておこなってもかまわない。
【００５７】
光顕観察データとＡＦＭ観察データのそれぞれの最後の観察画像に、この情報を付記することによって、光顕観察データとＡＦＭ観察データの間において保存終了のタイミングが維持される。
【００５８】
ここで、光顕観察データとＡＦＭ観察データの保存開始は保存開始スイッチ１３ａの「入」操作によって開始されてもよい。
【００５９】
〔イベント情報付与〕
光顕観察データとＡＦＭ観察データの保存中において、たとえばイベント情報付与スイッチ１３ｃの「入」操作に対して、制御装置１３は、イベント情報付与の指令を光顕用コンピュータ２４とＡＦＭ用コンピュータ３４に与える。この指令を受けて、光顕用コンピュータ２４は、このときに光顕用蓄積メモリー２６に転送および保存中の光顕観察画像にイベント情報を付与し、またＡＦＭ用コンピュータ３４は、このときにＡＦＭ用蓄積メモリー３６に転送および保存中のＡＦＭ観察画像にイベント情報を付与する。
【００６０】
これにより、図７に示されるように、光顕用蓄積メモリー２６に保存される光顕観察データ（時系列的に連続する一連の光顕観察画像）の途中の光顕観察画像と、ＡＦＭ用蓄積メモリー３６に保存されるＳＰＭ観察データ（時系列的に連続する一連のＳＰＭ画像）の途中の光顕観察画像にイベント情報が付与される。図７において、斜線を付して示された光顕観察画像とＡＦＭ観察画像が、それぞれ、イベント情報が付与された光顕観察画像とＡＦＭ観察画像を表している。
【００６１】
ここで、イベント情報とは、試料の動的変化にかかわる情報であり、このイベント情報は、１枚の観察画像に限らず、必要な観察画像に任意に付与してもよいし、測定パラメータ内に記録を残すことで認識可能にしてもよい。
【００６２】
イベント情報の付与は、図８に示されるように、それぞれにあらかじめ予想される試料Ｓの変化を表すイベントの名称たとえば「膜形成」といった文字を追加しておこなってもよいし、測定パラメータの情報に付記しておこなってもかまわない。
【００６３】
光顕観察データとＡＦＭ観察データのそれぞれの途中の観察画像に、イベント情報を付記することによって、光顕観察データとＡＦＭ観察データの間においてイベントのタイミングが維持される。
【００６４】
ここで、光顕観察データとＡＦＭ観察データの保存開始と保存終了はそれぞれ保存開始スイッチ１３ａと保存終了スイッチ１３ｂの「入」操作によっておこなってもよい。
【００６５】
〔制御装置の構成例〕
制御装置１３は、汎用的なコンピュータ、たとえばパーソナルコンピュータで構成されてもよい。この場合、スイッチ１３ａ，１３ｂ，１３ｃ，１３ｄ，１３ｅはグラフィックインターフェースで構成され、前述した保存開始、保存終了、イベント情報付与のなどの共通の制御指令を光顕用コンピュータ２４とＡＦＭ用コンピュータ３４に同時に与える機能はソフトウェア的に実現される。制御装置１３を構成するパーソナルコンピュータは、保存開始、保存終了、イベント情報付与のなどの共通の制御指令を光顕用コンピュータ２４とＡＦＭ用コンピュータ３４に同時に与える機能をコンピュータに実現させる制御プログラムを記憶した記憶媒体１６から制御プログラムをメモリーにロードすることにより、保存開始、保存終了、イベント情報付与のなどの共通の制御指令を光顕用コンピュータ２４とＡＦＭ用コンピュータ３４に同時に与える機能を得る。
【００６６】
［第二実施形態]
第二実施形態による複合型顕微鏡を図９に示す。図９において、図１に示した部材と同一の参照符号を付した部材は同様の部材であり、その詳しい説明は省略する。以下、相違部分に重点をおいて説明する。つまり、以下の説明で触れない部分は、第一実施形態と同様である。
【００６７】
図９に示されるように、第二実施形態による複合型顕微鏡１０Ａは、試料Ｓの動的な光顕観察データを取得する光学顕微鏡１１Ａと、試料Ｓの動的なＳＰＭ観察データを取得する走査型プローブ顕微鏡１２Ａを備えている。
【００６８】
〔光学顕微鏡と走査型プローブ顕微鏡〕
光学顕微鏡１１Ａは、観察光学系２１とカメラ２２とカメラコントローラ２３とＡＦＭ光顕兼用コンピュータ４１とＡＦＭ光顕兼用モニター４７から構成されている。また走査型プローブ顕微鏡１２Ａは、ＡＦＭユニット３１とＡＦＭコントローラ３３とＡＦＭ光顕兼用コンピュータ４１とＡＦＭ光顕兼用モニター４７から構成されている。すなわち、光学顕微鏡１１Ａと走査型プローブ顕微鏡１２Ａは、ＡＦＭ光顕兼用コンピュータ４１とＡＦＭ光顕兼用モニター４７を共有している。
【００６９】
ＡＦＭ光顕兼用コンピュータ４１は、１枚の光顕観察画像を一時的に保持する光顕用フレームメモリー４２と、動的な光顕観察データを保存する光顕用蓄積メモリー４３と、１枚のＡＦＭ観察画像を一時的に保持するＡＦＭ用フレームメモリー４４と、動的なＡＦＭ観察データを保存するＡＦＭ用蓄積メモリー４５を備えている。光顕用フレームメモリー４２と光顕用蓄積メモリー４３とＡＦＭ用フレームメモリー４４とＡＦＭ用蓄積メモリー４５の機能は、それぞれ、第一実施形態の光顕用フレームメモリー２５と光顕用蓄積メモリー２６とＡＦＭ用フレームメモリー３５とＡＦＭ用蓄積メモリー３６と同様である。
【００７０】
ＡＦＭ光顕兼用コンピュータ４１は、光顕用フレームメモリー４２に一時的に保持される光顕観察画像とＡＦＭ用フレームメモリー４４に一時的に保持されるＡＦＭ観察画像をＡＦＭ光顕兼用モニター４７に順次送ることにより、試料Ｓの光顕観察画像とＡＦＭ観察画像をＡＦＭ光顕兼用モニター４７に実時間表示させることができる。
【００７１】
ＡＦＭ光顕兼用コンピュータ４１は、光顕用蓄積メモリー４３に保存された光顕観察データとＡＦＭ用蓄積メモリー４５に保存されたＡＦＭ観察データをＡＦＭ光顕兼用モニター４７に出力して、光顕観察データとＡＦＭ観察データをＡＦＭ光顕兼用モニター４７に表示させることができる。
【００７２】
実時間表示される光顕観察画像とＡＦＭ観察画像を含め、光顕観察データとＡＦＭ観察データは、たとえば、図１０に示されるようにＡＦＭ光顕兼用モニター４７上に並べて表示される。
【００７３】
〔制御装置〕
複合型顕微鏡１０Ａはまた、光学顕微鏡１１Ａと走査型プローブ顕微鏡１２Ａに共通の制御指令を同時に与える制御装置５０を備えている。制御装置５０の機能は、第一実施形態の制御装置１３と同様である。
【００７４】
制御装置５０は、グラフィックインターフェースで構成されたスイッチ５２と、スイッチ５２の操作にしたがって制御指令を出力する指令出力部５１を有している。スイッチ５２は、ＡＦＭ光顕兼用モニター４７上に表示されるコンピュータグラフィックからなる入力スイッチ５３と、入力スイッチ５３を操作するマウスなどのポインティングデバイス５４から構成される。指令出力部５１とポインティングデバイス５４は、ＡＦＭ光顕兼用コンピュータ４１の一部で構成されている。
【００７５】
この入力スイッチ５３は、図１０に描かれるように、複数のスイッチ５３ａ，５３ｂ，５３ｃ，５３ｄ，５３ｅを有している。保存開始の名前が割り当てられたスイッチ５３ａは、光学顕微鏡１１Ａと走査型プローブ顕微鏡１２Ａにそれぞれの観察データの保存開始の指令を同時に与える保存開始スイッチであり、保存終了の名前が割り当てられたスイッチ５３ｂは、光学顕微鏡１１Ａと走査型プローブ顕微鏡１２Ａにそれぞれの観察データの保存終了の指令を同時に与える保存終了スイッチであり、膜形成の名前が割り当てられたスイッチ５３ｃは、光学顕微鏡１１Ａと走査型プローブ顕微鏡１２Ａに、それぞれの観察データに対する膜形成のイベント情報付与の指令を同時に与えるイベント情報付与スイッチであり、イベント２，イベント３の名前が割り当てられたスイッチ５３ｄ，５３ｅは、光学顕微鏡１１Ａと走査型プローブ顕微鏡１２Ａに、それぞれの観察データに対するイベント情報付与の指令を同時に与えるイベント情報付与スイッチである。
【００７６】
〔保存開始と保存終了〕
制御装置５０は、保存開始スイッチ５３ａの「入」操作に対して、観察データの保存開始の指令をＡＦＭ光顕兼用コンピュータ４１の内部で出力する。これに対して、ＡＦＭ光顕兼用コンピュータ４１は、たとえば、第一実施形態と同様に、光顕用蓄積メモリー４３とＡＦＭ用蓄積メモリー４５にそれぞれ光顕観察データとＡＦＭ観察データの保存を開始するとともに、最初の画像に保存開始画像であることを示す情報を付与する。
【００７７】
また、光顕観察データとＡＦＭ観察データの保存中において、保存終了スイッチ５３ｂの「入」操作に対して、制御装置５０は観察データの保存終了の指令を出力し、ＡＦＭ光顕兼用コンピュータ４１は、たとえば、第一実施形態と同様に、光顕用蓄積メモリー４３とＡＦＭ用蓄積メモリー４５に対する光顕観察データとＡＦＭ観察データの保存を終了するとともに、最後の画像に保存終了画像であることを示す情報を付与する。
【００７８】
しかし、この実施形態では、光学顕微鏡１１Ａと走査型プローブ顕微鏡１２ＡがＡＦＭ光顕兼用コンピュータ４１とＡＦＭ光顕兼用モニター４７を共有していることから、上記の手法に代えて、以下のように観察データに対して処理をおこなってもよい。
【００７９】
ＡＦＭ光顕兼用コンピュータ４１は、観察データの保存開始の指令に対して、ＡＦＭ光顕兼用モニター４７に並べて実時間表示されている光顕観察画像とＡＦＭ観察画像を、一つの複合観察データとして保存する。
【００８０】
また、ＡＦＭ光顕兼用コンピュータ４１は、観察データの保存終了の指令に対して、複合観察データの保存を終了するとともに、複合観察データの最後の画像に保存終了画像であることを示す情報を付与する。
【００８１】
これによって、光顕観察データとＡＦＭ観察データの間において保存開始と保存終了のタイミングが維持される。
【００８２】
つまり、この複合型顕微鏡１０Ａでは、光学顕微鏡１１Ａと走査型プローブ顕微鏡１２Ａは、それぞれが表示しているそれぞれの観察データを併せて一つの複合観察データとして保存するように構成されている。さらに、
また、ＡＦＭ光顕兼用コンピュータ４１は、複合観察データの保存の際に、カメラコントローラ２３とＡＦＭコントローラ３３の制御に用いた測定パラメータを、複合観察データに対応可能な状態で保存してもよい。つまり、光学顕微鏡１１Ａと走査型プローブ顕微鏡１２Ａは、複合観察データに関連づけて測定パラメータを保存するように構成されている。
【００８３】
〔イベント情報付与〕
光顕観察データとＡＦＭ観察データの保存中において、膜形成スイッチ５３ｃの「入」操作に対して、制御装置５０は、膜形成の情報付与の指令をＡＦＭ光顕兼用コンピュータ４１の内部で出力する。これに対して、光顕観察データとＡＦＭ観察データを別々に保存している場合には、ＡＦＭ光顕兼用コンピュータ４１は、第一実施形態と同様に、このときに光顕用蓄積メモリー４３とＡＦＭ用蓄積メモリー４５にそれぞれ保存中の光顕観察画像とＡＦＭ観察画像に膜形成のイベント情報を付与する。また、光顕観察データとＡＦＭ観察データを一つの複合観察データと保存している場合には、ＡＦＭ光顕兼用コンピュータ４１は、このときに保存中の複合観察データの観察画像に膜形成のイベント情報を付与する。
【００８４】
これによって、光顕観察データとＡＦＭ観察データの間において膜形成のイベントのタイミングが維持される。
【００８５】
［第三実施形態]
第三実施形態による複合型顕微鏡を図１１に示す。図１１において、図１に示した部材と同一の参照符号を付した部材は同様の部材であり、その詳しい説明は省略する。以下、相違部分に重点をおいて説明する。つまり、以下の説明で触れない部分は、第一実施形態と同様である。
【００８６】
図１１に示されるように、第三実施形態による複合型顕微鏡１０Ｂは、試料Ｓの動的な光顕観察データを取得する光学顕微鏡１１と、試料Ｓの動的なＳＰＭ観察データを取得する走査型プローブ顕微鏡１２と、制御装置１３Ｂと、溶液追加器１４を備えている。つまり、複合型顕微鏡１０Ｂは、第一実施形態の複合型顕微鏡１０に対して、制御装置１３を制御装置１３Ｂに置き換えるとともに、溶液追加器１４を追加した構成となっている。
【００８７】
溶液追加器１４は、試料Ｓに対して作用を与える作用機構の一種であり、その中に試料Ｓが存在する試料溶液に別の溶液を追加して、試料Ｓの環境を変化させるように構成されている。追加する溶液は、たとえば、イオン濃度の異なる溶液、異なるｐＨの溶液、脂質、酵素などを含んだ溶液などである。
【００８８】
制御装置１３Ｂの構成は、実質的に第一実施形態の制御装置１３と同様であるが、図１２に示されるように、スイッチ１３ｄには溶液追加の文字が割り当てられている。スイッチ１３ｄは、溶液追加器１４を作動させるスイッチである。
【００８９】
〔溶液追加情報付与〕
光顕観察データとＡＦＭ観察データの保存中において、溶液追加スイッチ１３ｄの「入」操作に対して、制御装置１３Ｂは、溶液追加器１４に溶液追加の指令を与えるとともに、溶液追加のイベント情報付与の指令を光顕用コンピュータ２４とＡＦＭ用コンピュータ３４に与える。この指令を受けて、溶液追加器１４は試料Ｓに溶液の追加し、光顕用コンピュータ２４は、このときに光顕用蓄積メモリー２６に保存中の光顕観察画像に溶液追加のイベント情報を付与し、またＡＦＭ用コンピュータ３４は、このときにＡＦＭ用蓄積メモリー３６に保存中のＡＦＭ観察画像に溶液追加のイベント情報を付与する。
【００９０】
これにより、図１３に示されるように、光顕観察データの途中の光顕観察画像とＳＰＭ観察データの途中の光顕観察画像に溶液追加のイベント情報が付与される。図１３において、斜線を付して示された光顕観察画像とＡＦＭ観察画像が、それぞれ、溶液追加のイベント情報が付与された光顕観察画像とＡＦＭ観察画像を表している。
【００９１】
溶液追加のイベント情報の付与は、図１２に示されるように、溶液追加時の光顕観察画像とＡＦＭ観察画像に「溶液追加」の文字を追加しておこなってもよいし、測定パラメータに情報を追加しておこなってもかまわない。また溶液追加後のすべての光顕観察画像とＡＦＭ観察画像に「溶液追加」の文字を追加しておこなってもかまわない。
【００９２】
さらに、複合型顕微鏡１０Ｂは、溶液追加による試料Ｓの環境の変化たとえば試料溶液の塩濃度の変化を、光顕観察データとＡＦＭ観察データと対応づけて記録してもよい。図１３には、光顕観察データとＡＦＭ観察データと共に塩濃度の経時変化のグラフが示されている。
【００９３】
ここで、光顕観察データとＡＦＭ観察データの保存開始と保存終了はそれぞれ保存開始スイッチ１３ａと保存終了スイッチ１３ｂの「入」操作によっておこなってもよい。
【００９４】
［第四実施形態]
第四実施形態による複合型顕微鏡を図１４に示す。図１４において、図１に示した部材と同一の参照符号を付した部材は同様の部材であり、その詳しい説明は省略する。以下、相違部分に重点をおいて説明する。つまり、以下の説明で触れない部分は、第一実施形態と同様である。
【００９５】
図１４に示されるように、第四実施形態による複合型顕微鏡１０Ｃは、試料Ｓの動的な光顕観察データを取得する光学顕微鏡１１と、試料Ｓの動的なＳＰＭ観察データを取得する走査型プローブ顕微鏡１２と、制御装置１３Ｃと、光学照明装置１５を備えている。つまり、複合型顕微鏡１０Ｃは、第一実施形態の複合型顕微鏡１０に対して、制御装置１３を制御装置１３Ｃに置き換えるとともに、光学照明装置１５を追加した構成となっている。
【００９６】
光学照明装置１５は、試料Ｓに対して作用を与える作用機構の一種であり、試料Ｓに光を照射することによって試料Ｓに刺激を与えるように構成されている。
【００９７】
制御装置１３Ｃの構成は、実質的に第一実施形態の制御装置１３と同様であるが、図１５に示されるように、スイッチ１３ｅには光刺激の文字が割り当てられている。スイッチ１３ｅは、光学照明装置１５を作動させるスイッチである。
【００９８】
〔光刺激情報付与〕
光顕観察データとＡＦＭ観察データの保存中において、光刺激スイッチ１３ｅの「入」操作に対して、制御装置１３Ｃは、光学照明装置１５に光刺激の指令を与えるとともに、光刺激のイベント情報付与の指令を光顕用コンピュータ２４とＡＦＭ用コンピュータ３４に与える。この指令を受けて、光学照明装置１５は試料Ｓに光を照射して光刺激を与え、光顕用コンピュータ２４は、このときに光顕用蓄積メモリー２６に保存中の光顕観察画像に光刺激のイベント情報を付与し、またＡＦＭ用コンピュータ３４は、このときにＡＦＭ用蓄積メモリー３６に保存中のＡＦＭ観察画像に光刺激のイベント情報を付与する。
【００９９】
光刺激は、一定時間与えた後に切るとか、周期的に与えるなど、さまざまな与え方が可能である。
【０１００】
これにより、図１６に示されるように、光顕観察データの途中の光顕観察画像とＳＰＭ観察データの途中の光顕観察画像に光刺激のイベント情報が付与される。図１６において、斜線を付して示された光顕観察画像とＡＦＭ観察画像が、それぞれ、光刺激のイベント情報が付与された光顕観察画像とＡＦＭ観察画像を表している。
【０１０１】
溶液追加のイベント情報の付与は、図１５に示されるように、光照射時の光顕観察画像とＡＦＭ観察画像に「光刺激」の文字を追加しておこなってもよいし、測定パラメータに情報を追加しておこなってもかまわない。また光刺激を与えている間のすべての光顕観察画像とＡＦＭ観察画像に「光刺激」の文字を追加しておこなってもかまわない。
【０１０２】
さらに、複合型顕微鏡１０Ｃは、光刺激の有無を、照射光の諸特性たとえば照射光の波長や光量などと一緒に、光顕観察データとＡＦＭ観察データと対応づけて記録してもよい。図１６には、光顕観察データとＡＦＭ観察データと共に光刺激の有無が図示されている。
【０１０３】
ここで、光顕観察データとＡＦＭ観察データの保存開始と保存終了はそれぞれ保存開始スイッチ１３ａと保存終了スイッチ１３ｂの「入」操作によっておこなってもよい。
【０１０４】
［光顕観察データとＡＦＭ観察データの再生］
上述した各実施形態では、保存された光顕観察データとＡＦＭ観察データには、保存開始画像であることを示す情報や、保存終了画像であることを示す情報、イベント情報が、それぞれの保存時の観察画像にたとえば文字情報として、または測定パラメータの一つの情報として付与されている。
【０１０５】
このため、下記の再生方法にしたがって、観察時の同時性を維持した状態で光顕観察データとＡＦＭ観察データを再生することができる。
【０１０６】
（ａ）同時に保存開始された光顕観察データとＡＦＭ観察データを再生する際には、光学顕微鏡１１，１１Ａと走査型プローブ顕微鏡１２，１２Ａは、図１７に示されるように、保存開始の情報が付与された光顕観察画像とＡＦＭ観察画像の再生タイミングを一致させて光顕観察データとＡＦＭ観察データを再生する。言い換えれば、光学顕微鏡１１と走査型プローブ顕微鏡１２は、制御装置１３，１３Ｂ，１３Ｃからの再生指令にしたがって、そのように制御される。
【０１０７】
（ｂ）同時に保存終了された光顕観察データとＡＦＭ観察データを再生する際には、光学顕微鏡１１，１１Ａと走査型プローブ顕微鏡１２，１２Ａは、図１８に示されるように、保存終了の情報が付与された光顕観察画像とＡＦＭ観察画像の再生タイミングを一致させて光顕観察データとＡＦＭ観察データを再生する。言い換えれば、光学顕微鏡１１と走査型プローブ顕微鏡１２は、制御装置１３，１３Ｂ，１３Ｃからの再生指令にしたがって、そのように制御される。
【０１０８】
（ｃ）イベント情報が同時に保存された光顕観察データとＡＦＭ観察データを再生する際には、光学顕微鏡１１，１１Ａと走査型プローブ顕微鏡１２，１２Ａは、図１９に示されるように、イベント情報が付与された光顕観察画像とＡＦＭ観察画像の再生タイミングを一致させて光顕観察データとＡＦＭ観察データを再生する。言い換えれば、光学顕微鏡１１と走査型プローブ顕微鏡１２は、制御装置１３，１３Ｂ，１３Ｃからの再生指令にしたがって、そのように制御される。
【０１０９】
また、保存された光顕観察データとＡＦＭ観察データは、それぞれ、時系列的に連続する一連の光顕観察画像とＳＰＭ観察画像からなり、光顕観察画像とＳＰＭ観察画像のいずれにおいても、時系列的に取得される観察画像間に無用な時間間隔が存在しない。したがって、光顕観察データとＡＦＭ観察データのいずれにも、観察したい現象等は、（光学顕微鏡１１，１１Ａと走査型プローブ顕微鏡１２，１２Ａの性能の範囲内において）取りこぼしなく記録されている。
【０１１０】
その結果、現象等の取りこぼしなく記録された光顕観察データとＡＦＭ観察データを同時性を維持して再生することができる。これにより、光顕観察データとＡＦＭ観察データにおける試料Ｓの動的変化の比較を容易におこなえるようになる。
【０１１１】
再生の際に、比較を容易にするために、図２０に示されるように、ＡＦＭ観察データの各ＡＦＭ観察画像の観察領域の指標Ａを光顕観察データの各光顕観察画像に重ねて表示してもよい。このような表示を用いることで、観察領域の指標Ａを図示しない試料位置移動手段によるＡＦＭ観察画像の観察領域の移動量に合わせて光顕観察データ上でも移動させることで、観察領域の変更がわかりやすくすることができる。これに加えて、図２１に示されるような、光顕観察画像とＡＦＭ観察画像を合成した合成観察画像を表示してもよい。合成画像の表示方法としては、ＡＦＭの凹凸の３次元イメージ表示の色づけに、光顕観察データに基づく色彩を重ね合わせて表示することで、蛍光を発している場所とＡＦＭ観察領域の対比を行うことができるようになる。
【０１１２】
［複合型顕微鏡を用いた観察例］
上述した実施形態の複合型顕微鏡を用いた観察例として、光学顕微鏡が蛍光顕微鏡で構成され、蛍光顕微鏡と走査型プローブ顕微鏡により蛍光物質が基板に展開される状態を観察するものがあげられる。
【０１１３】
蛍光顕微鏡では試料基板上に蛍光染色されたリポソームが脂質二重膜として展開される様子が観察され、走査型プローブ顕微鏡では基板上で５ｎｍ程度の厚さの脂質二重膜が展開されて広がっていくのが観察される。
【０１１４】
蛍光顕微鏡で観察されるリポソームが割れて展開していく様を見るだけでは見られないサブミクロンでの脂質二重膜の成長を走査型プローブ顕微鏡によって観察ができる。
【０１１５】
このとき、脂質膜を供給するタイミングから蛍光顕微鏡と走査型プローブ顕微鏡の測定（観察データの保存）を同時に開始することで、何時展開されたリポソームがどのような速度でサブミクロンレベルの成長をしているのかを見ることができる。
【０１１６】
それぞれの観察データを一度に再生することで比較がしやすくなる。
【０１１７】
これまで、図面を参照しながら本発明の実施形態を述べたが、本発明は、これらの実施形態に限定されるものではなく、その要旨を逸脱しない範囲において様々な変形や変更が施されてもよい。ここにいう様々な変形や変更は、上述した実施形態を適当に組み合わせた実施も含む。
【符号の説明】
【０１１８】
１０，１０Ａ，１０Ｂ，１０Ｃ…複合型顕微鏡、１１，１１Ａ…光学顕微鏡、１２，１２Ａ…走査型プローブ顕微鏡、１３，１３Ｂ，１３Ｃ…制御装置、１３ａ，１３ｂ，１３ｃ，１３ｄ，１３ｅ…スイッチ、１４…溶液追加器、１５…光学照明装置、１６…記憶媒体、２１…観察光学系、２２…カメラ、２３…カメラコントローラ、２４…光顕用コンピュータ、２５…光顕用フレームメモリー、２６…光顕用蓄積メモリー、２７…光顕用モニター、３１…ＡＦＭユニット、３３…ＡＦＭコントローラ、３４…ＡＦＭ用コンピュータ、３５…ＡＦＭ用フレームメモリー、３６…ＡＦＭ用蓄積メモリー、３７…ＡＦＭ用モニター、４１…ＡＦＭ光顕兼用コンピュータ、４２…光顕用フレームメモリー、４３…光顕用蓄積メモリー、４４…ＡＦＭ用フレームメモリー、４５…ＡＦＭ用蓄積メモリー、４７…ＡＦＭ光顕兼用モニター、５０…制御装置、５１…指令出力部、５２…スイッチ、５３…入力スイッチ、５３ａ，５３ｂ，５３ｃ，５３ｄ，５３ｅ…スイッチ、５４…ポインティングデバイス。
【図１】
2013228249.tif 000003
【図２】
2013228249.tif 000004
【図３】
2013228249.tif 000005
【図４】
2013228249.tif 000006
【図５】
2013228249.tif 000007
【図６】
2013228249.tif 000008
【図７】
2013228249.tif 000009
【図８】
2013228249.tif 000010
【図９】
2013228249.tif 000011
【図１０】
2013228249.tif 000012
【図１１】
2013228249.tif 000013
【図１２】
2013228249.tif 000014
【図１３】
2013228249.tif 000015
【図１４】
2013228249.tif 000016
【図１５】
2013228249.tif 000017
【図１６】
2013228249.tif 000018
【図１７】
2013228249.tif 000019
【図１８】
2013228249.tif 000020
【図１９】
2013228249.tif 000021
【図２０】
2013228249.tif 000022
【図２１】
2013228249.tif 000023